(57)【特許請求の範囲】
【請求項１】
細長の器具取付用の取付窓を有し該取付窓の長手方向に沿って上、中、下の３つの取付位置が設けられた取付枠を用いて造営面に配設され、押釦ハンドルの押し込み動作に応じて、内部に収納した接点部の切り換えを行うようにした押釦スイッチと、押釦スイッチを取付枠の３つの取付位置の何れの取付位置に取り付けた場合でも、押釦スイッチの前面側に装着可能であって、前記押釦ハンドルをピアノタッチ操作で押圧するピアノハンドルとを備え、押釦スイッチに、位置或いは状態を発光表示するための発光手段を内蔵するとともにこの発光手段の発光をピアノハンドル側の表面から外へ導くための透光窓を設け、ピアノハンドルに、前記透光窓から出た光で発光表示を行う発光表示部を設けたピアノハンドル式スイッチに用いられ、ピアノハンドルの裏面側に設けられた押釦スイッチの透光窓からの光を発光表示部に導光するためのピアノハンドル式スイッチ用プリズムであって、
前記発光表示部に対向する出射面の背方側から上下両側に側方突出プリズム部を夫々延出させ、各側方突出プリズム部の背方側及び出射面の背方側に、押釦スイッチの取付枠に対する３つの取付位置に応じて押釦スイッチの透光窓からの光を入射する入射面をそれぞれ形成するとともに、各側方突出プリズム部の入射面からの光を出射面に導く反射面を内部に形成し、少なくとも各側方突出プリズム部の入射面に、透光窓からの光が内部で略平行光となるよう凸曲面を形成し、前記出射面に、出射面からの光を斜め上向きとするプリズム部を設け、プリズム部は、造営面への取付状態における鉛直方向に沿って前記出射面に交互に設けられた複数の凸部と凹部からなり、各凸部の上面を前面に行くほど下向きに傾斜する傾斜面とするとともに各凸部の下面を略水平な平坦面とし、各凸部の先端面および各凹部の底面を、それぞれ法線方向が略水平となる平坦面としたことを特徴とするピアノハンドル式スイッチ用プリズム。
【請求項２】
出射面の一部に法線方向が略水平となる平坦面を設け、平坦面以外の部位に上記プリズム部を形成したことを特徴とする請求項１記載のピアノハンドル式スイッチ用プリズム。
【発明の詳細な説明】
【０００１】
【発明の属する技術分野】
本発明は、ピアノタッチ操作で接点部の接点切換を行うピアノハンドル式スイッチに用いられるピアノハンドル式スイッチ用プリズムに関するものである。
【０００２】
【従来の技術】
従来より、図１５に示すようなピアノハンドル式スイッチが知られている。このピアノハンドル式スイッチは、押釦ハンドル４の押し込み動作にともなって内部に収納した接点部（図示せず）の切り換えを行うようにした押釦スイッチ１と、押釦スイッチ１の上部に取付けられ上記押釦ハンドル４をピアノタッチ操作で押圧するピアノハンドル３０とを備えたものであり、ピアノハンドル３０のピアノタッチ操作により押釦スイッチ１の接点部を切り換えるようにしている。
【０００３】
押釦スイッチ１の内部には、押釦スイッチ１の位置或いは動作状態を発光表示するための発光手段（図示せず）が内蔵されており、ピアノハンドル３０との対向面には発光手段の発光を外部へ導くための透光窓７が設けてある。ピアノハンドル３０には透光窓７と対向する部位に表裏貫通の開口部３０ａが設けられ、この開口部３０ａには光透過性樹脂からなり透光窓７から出た光で表示を行う発光表示部４０が被着されている。また、ピアノハンドル３０の表面側には凹平面３５が設けられ、この凹平面３５の底にネームカード３８を出し入れするための窓３６を設け、この窓３６にはピアノハンドル３０の裏面側から開閉自在に枢支された扉３７を設けてあり、また凹平面３５には少なくも窓３６に対応して配置されるネームカード３８が見えるように中央部３９ａが透明なネームカバー３９が被着されている。
【０００４】
この押釦スイッチ１は、図１６に示すように取付枠１００を用いて壁面などの造営面に埋設して固定される。取付枠１００は細長の取付窓１００ａを有し、この取付窓１００ａの長手方向に沿った上、中、下の各取付位置に押釦スイッチを３個まで取り付けることができる。取付枠１００の前面側には、取付枠１００の取付窓１００ａよりも長寸かつ幅広の開口窓を備えるプレート１１０（プレート枠１２０と化粧プレート１３０からなる）が重ね合わせて配置される。プレート枠１２０は矩形枠状であって、短幅方向に沿う両側片にプレートねじ用の挿通孔１２１，１２１を設けてあり、挿通孔１２１，１２１に挿通したプレートねじ１２３，１２３を取付枠１００のねじ孔１００ｃ，１００ｃに螺入することによりプレート枠１２０が取付枠１００の前面側に取り付けられる。また、プレート枠１２０の長手方向に沿う両側片には係止孔１２２が３個ずつ形成されており、化粧プレート１３０の裏面から突出する係止爪（図示せず）を係止孔１２２に係止させることで、化粧プレート１３０がプレート枠１２０の前面側に装着される。
【０００５】
ピアノハンドル３０は、取付枠１００の上、中、下の各取付位置に３個の押釦スイッチ１を取り付ける場合において、各取付位置の押釦スイッチ１にそれぞれ装着される３個用のハンドルであって、プレート１１０の開口窓の長手方向に沿うピアノハンドル３０の寸法は開口窓の長手方向寸法の略３分の１の寸法に設定されており、ピアノハンドル３０の短幅方向の寸法を押釦スイッチ１の短幅方向寸法よりも大きくすることで、ハンドルの操作性を向上させている。
【０００６】
上述のように、プレート１１０の窓孔の長手方向に沿うピアノハンドル３０の寸法が、押釦スイッチ１の寸法よりも幅広に形成されているので、押釦スイッチ１を取付枠１００の中央の取付位置に取り付ける場合は、押釦スイッチ１の中心位置とピアノハンドル３０の中心位置とを合わせて、ピアノハンドル３０を押釦スイッチ１に取り付けるのであるが、押釦スイッチ１を取付枠１００の上側又は下側の取付位置に取り付ける場合は、ピアノハンドル３０の中心位置を押釦スイッチ１の中心位置に対して上側又は下側にずらすようにして、押釦スイッチ１に取り付けている。而して、押釦スイッチ１を上、中、下の何れの位置に取り付けるかによって。押釦スイッチ１の透光窓７と、ピアノハンドル３０に取着した発光表示部４０との相対的な位置関係が異なるので、何れの位置にピアノハンドル３０を取り付けた場合でも、発光手段の発光を発光表示部４０に入射できるよう、ピアノハンドル３０の裏面側に、押釦スイッチ１の透光窓７からの光を発光表示部４０に導光するためのピアノハンドル式スイッチ用プリズム（以下、単にプリズムと言う）５０を設けてある。
【０００７】
このプリズム５０は光透過性樹脂により形成され、図１７に示すように出射面５１をピアノハンドル３０に設けた発光表示部４０に対向させて、ピアノハンドル３０に熱着等により取り付けてある。プリズム５０の出射面５１の背方側からは、上下両側方に向けて側方突出プリズム部５７を設けてあり、この側方突出プリズム部５７は背面部に上側の押釦スイッチ１又は下側の押釦スイッチ１からの光を入射する入射面５３を設け、入射面５３から内部に入った光を側方突出プリズム部５７内の反射面５８ａ，５８ｂで反射させて出射面５１から出射させようになっている。また、出射面５１の背方には中央に取り付けられた押釦スイッチ１の発光表示部４０からの光が入射する入射面５２を設けてあり、この入射面５２の凹部の両側内壁面が、プリズム５０内に導光された光の上記反射面５８ｂとなっている。
【０００８】
【発明が解決しようとする課題】
上記構成のプリズム５０では、各側方突出プリズム部５７に設けた入射面５３が平坦面となっているため、押釦スイッチ１の透光窓７からの拡散光が入射面５３に入射した場合、プリズム５０内を進行する光が平行光とならず、入射した光の一部が反射面５８ａ，５８ｂによって発光表示部４０と異なる方向に反射されてしまい、その結果、発光表示部４０から外部に導かれる光量が減少し、発光表示が暗くなるという問題があった。
【０００９】
本発明は上記問題点に鑑みて為されたものであり、その目的とするところは、発光表示を明るくしたピアノハンドル式スイッチ用プリズムを提供することにある。
【００１０】
【課題を解決するための手段】
上記目的を達成するために、請求項１の発明では、細長の器具取付用の取付窓を有し該取付窓の長手方向に沿って上、中、下の３つの取付位置が設けられた取付枠を用いて造営面に配設され、押釦ハンドルの押し込み動作に応じて、内部に収納した接点部の切り換えを行うようにした押釦スイッチと、押釦スイッチを取付枠の３つの取付位置の何れの取付位置に取り付けた場合でも、押釦スイッチの前面側に装着可能であって、押釦ハンドルをピアノタッチ操作で押圧するピアノハンドルとを備え、押釦スイッチに、位置或いは状態を発光表示するための発光手段を内蔵するとともにこの発光手段の発光をピアノハンドル側の表面から外へ導くための透光窓を設け、ピアノハンドルに、透光窓から出た光で発光表示を行う発光表示部を設けたピアノハンドル式スイッチに用いられ、ピアノハンドルの裏面側に設けられた押釦スイッチの透光窓からの光を発光表示部に導光するためのピアノハンドル式スイッチ用プリズムであって、発光表示部に対向する出射面の背方側から上下両側に側方突出プリズム部を夫々延出させ、各側方突出プリズム部の背方側及び出射面の背方側に、押釦スイッチの取付枠に対する３つの取付位置に応じて押釦スイッチの透光窓からの光を入射する入射面をそれぞれ形成するとともに、各側方突出プリズム部の入射面からの光を出射面に導く反射面を内部に形成し、少なくとも各側方突出プリズム部の入射面に、透光窓からの光が内部で略平行光となるよう凸曲面を形成し、出射面に、出射面からの光を斜め上向きとするプリズム部を設け、プリズム部は、造営面への取付状態における鉛直方向に沿って出射面に交互に設けられた複数の凸部と凹部からなり、各凸部の上面を前面に行くほど下向きに傾斜する傾斜面とするとともに各凸部の下面を略水平な平坦面とし、各凸部の先端面および各凹部の底面を、それぞれ法線方向が略水平となる平坦面としたことを特徴とする。
【００１７】
請求項２の発明では、請求項１記載の発明において、出射面の一部に法線方向が略水平となる平坦面を設け、平坦面以外の部位に上記プリズム部を形成したことを特徴とする。
【００１８】
【発明の実施の形態】
（基本構成）
基本構成について図面に基づいて説明する。まず、ピアノハンドル式スイッチの基本的構造から説明する。このピアノハンドル式スイッチは、図５〜図１１に示すように、押釦ハンドル４の押圧操作により接点部の接点切換が行われる押釦スイッチ１と、この押釦スイッチ１の上面に一端部が回動自在に枢支され他端部を押圧して押釦ハンドル４を押圧操作するピアノハンドル３０とで構成される。
【００１９】
押釦スイッチ１の器体は、合成樹脂製のボディ２とカバー３とで形成されており、規格化された既製の埋込型の配線器具の１個モジュール寸法に形成してある。押釦スイッチ１の表面側の部材であるカバー３には、既製の配線器具を埋設する場合に用いる取付枠１００に着脱自在に取付可能とするために、取付枠１００の取付孔１００ｂにそれぞれ係止する一対の係止爪８，８を両端面に突設してあり、一方の係止爪８の背部には空所９を形成し、係止爪８が背方へ弾性的にたわむようにしてある。従って、既製の配線器具用の取付枠１００に係止爪８を係止させて押釦スイッチ１を着脱自在に取り付けることができ、既製の埋込型の配線器具と同様にして壁面などの造営面に埋設できるようにしてある。なお、ボディ２とカバー３の結合はカバー３より垂下した係止片５の係止孔５ａにボディ２の側面に形成してある係止突起６を係止させることにより行っており、係止時には係止片５の弾性と係止突起６の上端の傾斜面６ａを利用して簡単に係止ができるようになっている。
【００２０】
この押釦スイッチ１のボディ２内には一端部に接続端子収納部２ａを形成するとともに、他端部に接続端子収納部２ｂを形成し、更に中央部に中央収納部２ｃを形成してある。各接続端子収納部２ａ，２ｂには、鎖錠ばね１０をそれぞれ内装した端子板１２，１３がそれぞれ収納される。図中１１はボディ２の両側に配置される２つの鎖錠ばね１０の解除釦である。そして、端子板１２，１３と鎖錠ばね１０と解除釦１１とで速結端子が構成してある。
【００２１】
ここで端子板１３には固定接点１４が固着された延設片１３ａを形成してあり、この延設片１３ａを隔壁２ｄに近接する中央収納部２ｃ側に延出して、中央収納部２ｃ内に固定接点１４を位置させている。また端子板１２から中央収納部２ｃに支持片１２ａが延出してあり、導電体からなる開閉体１５が中央収納部２ｃ内に入れられて、開閉体１５の下端が支持片１２ａ上に回動自在に立設してあり、開閉体１５の両端下部に設けた突部を中央収納部２ｃの内側壁に形成されたＶ状凹部２ｅに嵌め込んで、Ｖ状凹部２ｅの下部を中心に回動自在となっている。開閉体１５には可動接点１６が設けてあり、開閉体１５の回動に応じて可動接点１６を固定接点１４に接離し、端子板１２と端子板１３との間の接続、切離を行う。
【００２２】
本構成においては上記のように固定接点１４と可動接点１６とで接点部Ｓが構成してある。上記接点部Ｓの開閉を行うための開閉体１５は反転ハンドル１７の反転回動により操作されるように構成してある。すなわち、反転ハンドル１７の下部には下方に開口した筒部１７ａが並設してあり、反転ハンドル１７の下部の筒部１７ａにはコイルスプリング１８の上部が納められ、コイルスプリング１８の下部が上記開閉体１５の上縁に係止され、反転ハンドル１７の回動に応じて開閉体１５を反転駆動するようになっている。
【００２３】
反転ハンドル１７は、両側に設けた逆三角形状の軸１７ｂをカバー３の内壁に形成された軸受け３ａに枢支して回動自在に取り付けられ、上部の両端にスライドカム１９に係合する係合突起１７ｃを突設してある。押釦ハンドル４はカバー３に上下動自在に取り付けられ、下方に配置される復帰ばね２０により常時上方に付勢されている。スライドカム１９は両端下面に上記反転ハンドル１７の係合突起１７ｃ，１７ｃに摺動係合する係合カム体１９ｂ，１９ｂが形成され、押釦ハンドル４の下面側において摺動自在に取り付けられる。そして、スライドカム１９は、内部に設けたハ字状の一対のばね片１９ａの間に押釦ハンドル４の下面に設けた突起４ａが挿入され、このばね片１９ａによってスライドカム１９に復帰力を与えている。
【００２４】
図５に示すように、押釦スイッチ１の器体のカバー３の表面側端部には横向きとなった軸部２１が所定間隔を開けて２つ一体に突設してある。これらの軸部２１は上部が横向きの略円柱形状をしている。ピアノハンドル３０は、図７（ａ）に示すように、裏面部の一端部に下開口がはめ込み用開口部となった穴３１ａと金属製の軸受け用ばね体３１ｂとで構成される軸受部３１が設けてある。穴３１ａは内壁の片側に係止穴３２を設け、穴３１ａに収納される軸受け用ばね体３１ｂの抜け止め爪３１ｃを係止して軸受け用ばね体３１ｂを固持している。軸受け用ばね体３１ｂは先端を穴３１ａ内へ突出するように曲げ形成し、この突出部３１ｄと穴３１ａとで軸部２１を支持するようになっている。なお、ピアノハンドル３０の一端部の裏面部に設けられる軸受部３１は、所定間隔の一対の軸部２１に対応する所定間隔で４つ設けられ、その内の両側の二つの軸受部３１に対応する軸受け用ばね体３１ｂは一体に連結されている。
【００２５】
下方に開口した穴３１ａのはめ込み用開口部は上記突出部３１ｄとで軸受部３１の内部よりも幅狭としており、前述の押釦スイッチ１の上部に設けた軸部２１を図７（ｂ）に示すように弾性的にはめ込んだ場合、軸部２１と軸受部３１との枢支結合が外れないようになっている。このように軸部２１を軸受部３１に回動自在に嵌め込むことでピアノハンドル３０を回動自在に軸支する軸支部が構成される。なお、ピアノハンドル３０の他端には背方に向けて抜け止め用の抜止片３３を突設してある。抜止片３３は空所９内に挿入され、ピアノハンドル３０が回動しても抜止片３３の先端が空所９から抜けないようになっている。
【００２６】
上記のようにピアノハンドル３０が押釦スイッチ１に取付けられるのであるが、ピアノハンドル３０を押圧操作すると、軸受部３１と軸部２１との軸支部を中心にしてピアノハンドル３０がピアノタッチ式に回動する。そして、このピアノハンドル３０の回動によって押釦スイッチ１の押釦ハンドル４が押圧操作されるのである。
【００２７】
またピアノハンドル３０の表面側には凹平面３５が設けられ、この凹平面３５の上下方向における中央部にはネームカード３８を出し入れするための窓３６が開口し、この窓３６にはピアノハンドル３０の裏面側から開閉自在に枢支された扉３７を設けてあり、また凹平面３５には窓３６内に配置されるネームカード３８が見えるように中央部３９ａが透明なネームカバー３９が被着されている。
【００２８】
ここで、押釦スイッチ１の動作を簡単に説明する。図９の状態は固定接点１４に可動接点１６が接しているオンの状態である。いま、図９の状態で、ピアノハンドル３０を操作したとすると、ピアノハンドル３０の操作に伴って押釦ハンドル４が復帰ばね２０に抗して押し下げられ、押釦ハンドル４の押し下げによりスライドカム１９が下降する。そして、スライドカム１９の図中左側の係合カム体１９ｂが、反転ハンドル１７の左側の係合突起１７ｃに当たることにより、反転ハンドル１７が回動される。このとき、反転ハンドル１７の回動に伴ってスライドカム１９が図中の左側にスライドしている。このようにして反転ハンドル１７が反転回動されると、コイルスプリング１８が反転して開閉体１５が反転し、可動接点１６が固定接点１４から離れてオフ状態となる。この反転後、ピアノハンドル３０の押し下げ力を解除すると、復帰ばね２０で押釦ハンドル４が押し上げられ、このときピアノハンドル３０が元の状態に戻る。そして、これと同時にスライドカム１９もばね片１９ａのばね力で中央部に摺動復帰する。このオフ状態から再びピアノハンドル３０を押し下げ操作すると、上記とは逆に反転ハンドル１７が回動して可動接点１６が固定接点１４に接触し、オンとなる。
【００２９】
ところで、この押釦スイッチ１は既製の取付枠１００を用いて壁面などの造営面に埋込配設される。取付枠１００は細長の取付窓１００ａを有し、この取付窓１００ａの長手方向に沿った上、中、下の３つの取付位置に押釦スイッチ１を取り付けることができるようになっている（図１１参照）。取付枠１００の前面側には、取付枠１００の取付窓１００ａよりも長寸かつ幅広の開口窓を備えるプレート１１０が重ね合わせて配置される。ピアノハンドル３０は、取付枠１００の上、中、下の各取付位置に３個の押釦スイッチ１を取り付ける場合において、各押釦スイッチ１にそれぞれ装着される３個用のハンドルであって、プレート１１０の開口窓の長手方向に沿うピアノハンドル３０の寸法は開口窓の長手方向寸法の略３分の１の寸法に設定されている。
【００３０】
そして、図１１に示すように取付枠１００に上下方向に３個の押釦スイッチ１を並べて取付けた場合、中央の押釦スイッチ１にピアノハンドル３０を取付ける場合には中央の二つの軸受部３１に押釦スイッチ１の二つの軸部２１をはめ込んで取付けるものであり、このことにより中央の押釦スイッチ１の中心位置とこの押釦スイッチ１に取り付けるピアノハンドル３０の中心位置とが一致するように取付けられる。また、上側の押釦スイッチ１にピアノハンドル３０を取付ける場合には下側の二つの軸受部３１に押釦スイッチ１の軸部２１，２１を嵌め込んで取付けるものであり、このことにより上側の押釦スイッチ１の中心位置よりもこの押釦スイッチ１に取り付けるピアノハンドル３０の中心位置が上側にずれて位置するように取付けられる。また、下側の押釦スイッチ１にピアノハンドル３０を取付ける場合には上側の二つの軸受部３１，３１に押釦スイッチ１の軸部２１，２１を嵌め込んで取付けるものであり、このことにより下側の押釦スイッチ１の中心位置よりもこの押釦スイッチ１に取り付けるピアノハンドル３０の中心位置が下側にずれて位置するように取付けられる。このようにすることで、共通の３個用のピアノハンドル３０として上側、中央、および下側の何れの取付位置の押釦スイッチ１にも共通して使用することができるものである。
【００３１】
ところで、押釦スイッチ１の内部には、例えば発光ダイオードからなり押釦スイッチ１の位置又は動作状態を発光表示するための発光手段（図示せず）が設けてあり、この発光手段からの光を外部に出すための光透過性樹脂カバーが被着された透光窓７が押釦スイッチ１のカバー３の軸部２１，２１間に設けられている。なお、発光手段としては接点部Ｓがオンの場合に発光するものと、接点部Ｓがオフの場合に発光するものとがある。本構成の場合には発光手段がスイッチの存在を示すための所謂ほたる表示をするために可動接点１６が固定接点１４から離れてオフ状態となっている時発光する。そしてこの発光手段による発光はピアノハンドル３０に設けた発光表示部４０で視認できる。また、図示は省略しているが、接点部Ｓがオンの場合に発光手段が発光するものの場合、接点部Ｓのオン、オフにより「入り」、「切り」される負荷（例えば空調装置）などの「入り」状態が発光表示部４０において発光手段の発光により視認できるものである。
【００３２】
一方、ピアノハンドル３０には、軸受部３１を設けている一端側における上下方向の中央部であって、押釦スイッチ１の透光窓７に対向する部位に表示孔３４を貫設してあり、この表示孔３４には透光性樹脂により形成され透光窓７から出た光で表示を行う発光表示部４０の前端部がピアノハンドル３０の裏面側から嵌め込んである。
【００３３】
ここで、押釦スイッチ１に設けた発光手段からの光をピアノハンドル３０に設けた発光表示部４０に導光して発光表示するに当たって、ピアノハンドル３０には発光手段の光を発光表示部４０に導光するためのプリズム５０が設けてある。プリズム５０は透明な透光性樹脂（例えばアクリル樹脂）により形成され、プリズム５０には、図１（ａ）〜（ｄ）に示すように、出射面５１の背方側に中央の押釦スイッチ１の発光表示部４０からの光が入射する入射面５２を設けてある。また、出射面５１の背方側から上下両側方（取付枠１００の取付窓１００ａの長手方向における両方向）に向けて側方突出プリズム部５７，５７が設けてあり、この側方突出プリズム部５７は背面部に上側の押釦スイッチ１又は下側の押釦スイッチ１からの光を入射する入射面５３を設け、入射面５３から内部に入った光を側方突出プリズム部５７内の反射面５８ａと、反射面５８ｂで反射させて出射面５１から出射させようになっている。
【００３４】
このプリズム５０は、ピアノハンドル３０の背面側に出射面５１をピアノハンドル３０に設けた発光表示部４０と対向させ、一側面に設けた位置決め突起５０ａをピアノハンドル３０裏面に設けた位置決め溝３０ｂ内に納めた状態で取り付けてある。プリズム５０をピアノハンドル３０に取り付ける際は、プリズム５０の出射面５１を発光表示部４０と対向させるとともに、位置決め突起５０ａを位置決め溝３０ｂ内に挿入して仮固定した後、超音波熱着ホーンをプリズム５０の背面に設けた突き当て部５０ｃに当接させて、側方突出プリズム部５７，５７と当接するピアノハンドル３０裏面の部位に設けた突起（図示せず）を超音波のエネルギにより溶融させて、ピアノハンドル３０の裏面側に熱着固定するのである。
【００３５】
而して、図１１に示すように中央の取付位置の押釦スイッチ１に取付けた３個用のピアノハンドル３０においては入射面５２が押釦スイッチ１の透光窓７に対向し、また、上側の取付位置の押釦スイッチ１に取付けられたピアノハンドル３０においては下側の側方突出プリズム部５７の入射面５３が押釦スイッチ１の透光窓７に対向し、また、下側の取付位置の押釦スイッチ１に取付けられたピアノハンドル３０においては上側の側方突出プリズム部５７の入射面５３が押釦スイッチ１の透光窓７に対向するものである。
【００３６】
そして、中央の取付位置に取着された押釦スイッチ１の発光手段ＬＤから発光された光は、模式図である図２（ｂ）に示すように入射面５２から入射し、出射面５１から発光表示部４０に向けて出射するのである。また、上側あるいは下側の取付位置に取着された押釦スイッチ１の発光手段ＬＤから出射された光は、図２（ａ）（ｃ）に示すように入射面５３から側方突出プリズム部５７に入射し、側方突出プリズム部５７内で反射して出射面５１から発光表示部４０に向けて出射するのである。ここで、本構成においては入射面５２，５３を、発光手段ＬＤからの発光が内部で略平行光となるような凸曲面に形成しており、プリズム５０内を進行する光が略平行光となっているので、反射面５８ａ，５８ｂで効率良く反射させることができ、出射面５１からの光量を大きくして、発光表示部４０の明るさを明るくすることができる。
【００３７】
また出射面５１には、造営面への取付状態における鉛直方向に沿って凹凸形状のプリズム部５４を複数形成してあり、各プリズム部５４の鋸歯状の凸部５５の上面に前面側ほど下向きに傾斜するような傾斜面５５ａを形成し、また凸部５５の下面を略水平な平坦面５５ｂとしてある（図１（ｅ）参照）。
【００３８】
ところで、上述したピアノハンドル式スイッチは壁面に取り付けて使用されるのであるが、一般的にピアノハンドル式スイッチの取付高さは人の目の高さよりも低いので、発光表示部４０の発光が見えやすいように、発光表示部４０からの光の視野角を上方に向けるのが望ましい。そこで、本構成では出射面５１に設けたプリズム部５４の凸部５５上面に下向きの傾斜面５５ａを設けており、図３（ａ）（ｂ）に示すようにプリズム５０内を進行してきた光は傾斜面５５ａで上向きに屈折されるので、発光表示部４０の発光を見えやすくできる。また、出射面５１の全体を傾斜させると、前方への突出量が大きくなるが、本構成では傾斜面を複数に分割して、複数の凸部５５の上面に傾斜面５５ａを形成しているので、前方への突出量を小さくできる。
【００３９】
また、下側の取付位置に押釦スイッチ１を取り付けた場合、押釦スイッチ１の発光手段ＬＤからの光は、図４（ａ）に示すように、上側の側方突出プリズム部５７の入射面５３に入射し、反射面５８ａ，５８ｂで２回全反射されて出射面５１に斜め下向きに入射するのであるが、各プリズム部５４の凸部５５下面を平坦面５５ｂとしているので、出射面５１に斜め下向きに入射した光をこの平坦面５５ｂで全反射して、出射面５１からの光の視野角を斜め上向きとすることができ、発光表示部４０の発光を見えやすくできる。
【００４０】
（実施形態１）
本発明の実施形態１を図１２（ａ）（ｂ）を参照して説明する。基本構成では、プリズム５０の出射面５１に設けた複数のプリズム部５４の形状を鋸歯状に形成しているが、本実施形態では図１２（ａ）（ｂ）に示すように、各プリズム部５４の凸部５５の先端に法線方向が略水平となる（水平面に対して略垂直な）平坦面５５ｃを形成するとともに、凹部５６の底面に法線方向が略水平となる平坦面５６ａを形成してある。尚、プリズム５０以外の構成は基本構成と同様であるので、共通する構成要素には同一の符合を付して、図示及び説明は省略し、本実施形態の特徴とする部分のみを説明する。
【００４１】
ところで、中央の取付位置に押釦スイッチ１を取り付けた場合、押釦スイッチ１の発光手段ＬＤからの光は、図１２（ａ）に示すように、プリズム５０の入射面５２から入射し、出射面５１に対して略垂直な方向から入射しているので、出射面５１に下向きの傾斜面が形成されていると、光の一部が斜め下向きに反射されてしまうが、本実施形態では各プリズム部５４の凸部５５の先端および凹部５６の底面に法線方向が略水平となる平坦面５５ｃ，５６ａをそれぞれ形成してあるので、光の一部を下向きに反射させることなく、上記平坦面５５ｃ，５６ａから効率良く光を出射させることができる（図１２（ｂ）参照）。
【００４３】
（参考例）
参考例について図１３（ａ）（ｂ）を参照して説明する。基本構成では、プリズム５０の出射面５１に設けた複数のプリズム部５４の形状を鋸歯状の形状としているが、本参考例では図１３（ａ）（ｂ）に示すように、各プリズム部５４の凸部５５の先端および凹部５６の底面に曲面５５ｄ，５６ｂをそれぞれ形成してある。尚、プリズム５０以外の構成は基本構成と同様であるので、共通する構成要素には同一の符合を付して、図示及び説明は省略し、本参考例の特徴とする部分のみを説明する。
【００４４】
中央の取付位置に押釦スイッチ１を取り付けた場合、押釦スイッチ１の発光手段ＬＤからの光は、図１３（ａ）に示すように、プリズム５０の入射面５２から入射し、出射面５１に対して略垂直な方向から入射しているので、出射面５１に下向きの傾斜面が形成されていると、光の一部が斜め下向きに反射されてしまうが、本参考例では各プリズム部５４の凸部５５の先端および凹部５６の底面に曲面５５ｄ，５６ｂをそれぞれ形成しているので、光の一部を下向きに反射させることなく、上記曲面５５ｄ，５６ｂから効率良く光を出射させることができ、また曲面５５ｄ，５６ｂを形成することで出射面５１からの光に広がりを持たせることができる。
【００４５】
尚、本参考例では各プリズム部５４の凸部５５の先端および凹部５６の底面の両方に曲面５５ｄ，５６ｂを形成しているが、凸部５５の先端又は凹部５６の底面の何れか一方のみに曲面５５ｄ，５６ｂを形成しても良い。
【００４６】
（実施形態２）
本発明の実施形態２を図１４（ａ）（ｂ）を参照して説明する。基本構成では、プリズム５０の出射面５１の略全体に複数のプリズム部５４を形成しているが、本実施形態では図１４（ａ）（ｂ）に示すように、出射面５１の一部（例えば鉛直方向における中央部）に法線方向が略水平となる（水平面に対して略垂直な）平坦面５９を形成し、平坦面５９以外の部位に複数のプリズム部５４を形成してある。尚、プリズム５０以外の構成は基本構成と同様であるので、共通する構成要素には同一の符合を付して、図示及び説明は省略し、本実施形態の特徴とする部分のみを説明する。
【００４７】
ところで、中央の取付位置に押釦スイッチ１を取り付けた場合、押釦スイッチ１の発光手段ＬＤからの光は、図１４（ａ）に示すように、プリズム５０の入射面５２から入射し、出射面５１に対して略垂直な方向から入射しているので、出射面５１に下向きの傾斜面が形成されていると、光の一部が斜め下向きに反射されてしまうが、本実施形態では出射面５１の一部に法線方向が略水平となる平坦面５９を形成しているので、光の一部を下向きに反射させることなく、上記平坦面５９から効率良く光を出射させることができる。
【００４８】
尚、上述の基本構成、参考例および実施形態１，２では入射面５２を凸曲面として、入射面５２からプリズム５０内に入射した光を略平行光としているが、入射面５２から入射した光は、側方突出プリズム部５７の入射面５３から入射した光のように反射面５８ａ，５８ｂで反射されることなく、出射面５１に直接入射するので、入射面５２をその法線方向が略水平となる平坦面としても良い。
【００４９】
【発明の効果】
上述のように、請求項１の発明は、細長の器具取付用の取付窓を有し該取付窓の長手方向に沿って上、中、下の３つの取付位置が設けられた取付枠を用いて造営面に配設され、押釦ハンドルの押し込み動作に応じて、内部に収納した接点部の切り換えを行うようにした押釦スイッチと、押釦スイッチを取付枠の３つの取付位置の何れの取付位置に取り付けた場合でも、押釦スイッチの前面側に装着可能であって、押釦ハンドルをピアノタッチ操作で押圧するピアノハンドルとを備え、押釦スイッチに、位置或いは状態を発光表示するための発光手段を内蔵するとともにこの発光手段の発光をピアノハンドル側の表面から外へ導くための透光窓を設け、ピアノハンドルに、透光窓から出た光で発光表示を行う発光表示部を設けたピアノハンドル式スイッチに用いられ、ピアノハンドルの裏面側に設けられた押釦スイッチの透光窓からの光を発光表示部に導光するためのピアノハンドル式スイッチ用プリズムであって、発光表示部に対向する出射面の背方側から上下両側に側方突出プリズム部を夫々延出させ、各側方突出プリズム部の背方側及び出射面の背方側に、押釦スイッチの取付枠に対する３つの取付位置に応じて押釦スイッチの透光窓からの光を入射する入射面をそれぞれ形成するとともに、各側方突出プリズム部の入射面からの光を出射面に導く反射面を内部に形成し、少なくとも各側方突出プリズム部の入射面に、透光窓からの光が内部で略平行光となるよう凸曲面を形成し、出射面に、出射面からの光を斜め上向きとするプリズム部を設け、プリズム部は、造営面への取付状態における鉛直方向に沿って出射面に交互に設けられた複数の凸部と凹部からなり、各凸部の上面を前面に行くほど下向きに傾斜する傾斜面とするとともに各凸部の下面を略水平な平坦面とし、各凸部の先端面および各凹部の底面を、それぞれ法線方向が略水平となる平坦面としたことを特徴とし、入射面に凸曲面を設けることで、入射面から入射した光をプリズムの内部で略平行光としているので、反射面で出射面と異なる方向に反射される光を少なくして、効率良く反射させることができ、その結果、出射面からの光量を増やして、発光表示部の明るさを明るくできるという効果がある。
【００５０】
しかも、１種類のピアノハンドルで取付枠の３つの取付位置に取り付けられる押釦スイッチのハンドルを兼用する場合に、両側の取付位置に取り付けられる押釦スイッチにピアノハンドルを取り付けたとしても、各側方突出プリズム部の入射面に凸曲面を形成しているので、この入射面から入射した光をプリズムの内部で略平行光とすることができ、その結果、反射面で出射面と異なる方向に反射される光を少なくして、効率良く反射させることができるから、出射面からの光量を増やして、発光表示部の明るさを明るくできるという効果がある。
【００５１】
さらに、押釦スイッチが人の目の高さよりも下方に配設される場合、プリズム部によって出射面からの光を斜め上向きとしているので、発光表示部からの光の視野角を上向きとすることができ、発光表示部の発光表示を見易くできるという効果がある。
【００５２】
また、凸部の上面に下向きの傾斜面を形成することで、出射面に入射した光を上向きに屈折させることができ、発光表示部からの光の視野角を上向きとして、発光表示部の発光表示を見易くできるという効果がある。
【００５３】
さらに、下側の取付位置の押釦スイッチにピアノハンドルを取り付けた場合に、透光窓からの光が上側の側方突出プリズム部の入射面に入射し、反射面で反射され、出射面に斜め上側から入射すると、入射した光は凸部の下面に設けた略水平な平坦面で上向きに反射されるので、出射面すなわち発光表示部からの光を上向きとして、発光表示部の発光表示を見易くできるという効果がある。
【００５４】
また、中央の取付位置の押釦スイッチにピアノハンドルを取り付けた場合、透光窓からの光は出射面の背方側に設けた入射面から入射し、出射面に対して略垂直に入射するので、出射面に下向きの傾斜面を形成していると、その傾斜面で光の一部が下向きに反射されてしまうが、凸部の先端面又は凹部の底面の少なくとも何れか一方を法線方向が略水平となる平坦面とすることで、この平坦面から効率良く出射させることができ、発光表示部の発光表示を明るくできるという効果がある。
【００５６】
請求項２の発明は、請求項１記載の発明において、出射面の一部に法線方向が略水平となる平坦面を設け、平坦面以外の部位に上記プリズム部を形成したことを特徴とし、中央の取付位置の押釦スイッチにピアノハンドルを取り付けた場合、透光窓からの光は出射面の背方側に設けた入射面から入射し、出射面に対して略垂直に入射するので、出射面に下向きの傾斜面を形成していると、その傾斜面で光の一部が下向きに反射されてしまうが、出射面の一部に法線方向が略水平となる平坦面とすることで、この平坦面から効率良く出射させることができ、発光表示部の発光表示を明るくできるという効果がある。
【図面の簡単な説明】
【図１】ピアノハンドル式スイッチ用プリズムの基本構成を示し、（ａ）は正面図、（ｂ）は左側面図、（ｃ）は右側面図、（ｄ）は上面図、（ｅ）はＡ部拡大図である。
【図２】（ａ）〜（ｃ）は同上の光路を説明する説明図である。
【図３】（ａ）（ｂ）は同上の光路を説明する説明図である。
【図４】（ａ）（ｂ）は同上の光路を説明する説明図である。
【図５】同上を用いるピアノハンドル式スイッチの分解斜視図である。
【図６】同上を用いるピアノハンドルを示し、（ａ）は正面図、（ｂ）は背面図である。
【図７】（ａ）（ｂ）は同上を用いる押釦スイッチとピアノハンドルとの枢支構造を説明する説明図である。
【図８】同上を用いる押釦スイッチの分解斜視図である。
【図９】同上を用いるピアノハンドル式スイッチの断面図である。
【図１０】同上を用いるピアノハンドル式スイッチを取付枠に取り付けた状態の正面図である。
【図１１】同上を用いるピアノハンドルを押釦スイッチに取り付ける前の状態の説明図である。
【図１２】実施形態１のピアノハンドル式スイッチ用プリズムを示し、（ａ）は側面図、（ｂ）は要部拡大図である。
【図１３】参考例のピアノハンドル式スイッチ用プリズムを示し、（ａ）は側面図、（ｂ）は要部拡大図である。
【図１４】実施形態２のピアノハンドル式スイッチ用プリズムを示し、（ａ）は側面図、（ｂ）は要部拡大図である。
【図１５】従来のピアノハンドル式スイッチ用プリズムを用いるピアノハンドル式スイッチの分解斜視図である。
【図１６】同上のピアノハンドル式スイッチ、取付枠、プレート枠並びに化粧プレートの分解斜視図である。
【図１７】同上のピアノハンドル式スイッチ用プリズムの側面図である。
【符号の説明】
５０ プリズム
５１ 出射面
５２，５３ 入射面
５７ 側方突出プリズム部
５８ａ，５８ｂ 反射面
【図１】
0004340038.tif 000002
【図２】
0004340038.tif 000003
【図３】
0004340038.tif 000004
【図４】
0004340038.tif 000005
【図５】
0004340038.tif 000006
【図６】
0004340038.tif 000007
【図７】
0004340038.tif 000008
【図８】
0004340038.tif 000009
【図９】
0004340038.tif 000010
【図１０】
0004340038.tif 000011
【図１１】
0004340038.tif 000012
【図１２】
0004340038.tif 000013
【図１３】
0004340038.tif 000014
【図１４】
0004340038.tif 000015
【図１５】
0004340038.tif 000016
【図１６】
0004340038.tif 000017
【図１７】
0004340038.tif 000018